(57)【要約】【課題】  スプリッタ機能が内蔵された装置において、当該装置が外部のスプリッタ装置と接続されているか否かに応じて、装置に内蔵されたスプリッタ機能の接続又は切り離しの切り換えを自動で行えるようにする。【解決手段】  入力インターフェースＩＦＣ１から入力されたデータ通信信号を通電する通電路９ａの通電状態を監視する監視部３を備え、監視部３により通電路９ａの通電状態について通知を受けた切換制御部５により、通電路９ａから直流が検知されたときには内部スプリッタ２を接続し、通電路９ａから直流が検知されないときには内部スプリッタ２を切り離す。【選択図】  図１
2006060315.tif 000002
【特許請求の範囲】
【請求項１】
公衆電話回線から重畳的に伝送されてきた低周波数帯域の音声信号と、高周波数帯域のデータ通信信号とを分離するスプリッタ機能を内蔵するスプリッタ内蔵装置に設けられるスプリッタ切換機構であって、
入力インターフェースから入力された前記データ通信信号を通電する通電路の通電状態を監視して、
前記通電路から直流が検知されたときには、前記スプリッタ内蔵装置を構成する回路に前記スプリッタ機能を接続し、
前記通電路から直流が検知されないときには、前記スプリッタ内蔵装置を構成する回路から前記スプリッタ機能を切り離すことを特徴とするスプリッタ切換機構。
【請求項２】
リレーの接点を切り換えることで、前記スプリッタ機能の接続又は切り離しの切り換えを行う請求項１に記載のスプリッタ切換機構。
【請求項３】
前記装置がｘＤＳＬモデムである請求項１又は２に記載のスプリッタ切換機構。
【請求項４】
公衆電話回線から重畳的に伝送されてきた低周波数帯域の音声信号と、高周波数帯域のデータ通信信号とを分離するスプリッタ機能を内蔵するスプリッタ内蔵装置であって、
入力インターフェースから入力された前記データ通信信号を通電する通電路の通電状態を監視して、
前記通電路から直流が検知されたときには、装置を構成する回路に前記スプリッタ機能を接続し、
前記通電路から直流が検知されないときは、装置を構成する回路から前記スプリッタ機能を切り離すスプリッタ切換機構を備えたことを特徴とするスプリッタ内蔵装置。
【請求項５】
前記データ通信信号が、外部のスプリッタ装置により前記音声信号と分離されているか否かにかかわらず、同一の入力インターフェースから入力される請求項４に記載のスプリッタ内蔵装置。
【請求項６】
前記音声信号と前記データ通信信号との混成信号、又は外部のスプリッタ装置により前記音声信号と分離された前記データ通信信号が入力される第一の入力インターフェースと、
外部のスプリッタ装置により前記データ通信信号と分離された前記音声信号が入力される第二のインターフェースとを備え、
前記スプリッタ切換機構が、前記第一の入力インターフェースから入力された前記信号を通電する第一の通電路と、前記第二のインターフェースから入力された第二の通電路の両方の通電状態を監視する請求項５に記載のスプリッタ内蔵装置。
【請求項７】
公衆電話回線から重畳的に伝送されてきた低周波数帯域の音声信号と、高周波数帯域のデータ通信信号とを分離するスプリッタ機能を内蔵する装置において、前記スプリッタ機能の接続又は切り離しの切り換えをするスプリッタ切換方法であって、
前記装置が備える入力インターフェースから入力された前記データ通信信号を通電する通電路の通電状態を監視して、
前記通電路から直流が検知されたときには、前記装置を構成する回路に前記スプリッタ機能を接続し、
前記通電路から直流が検知されないときには、前記装置を構成する回路から前記スプリッタ機能を切り離すことを特徴とするスプリッタ切換方法。
【請求項８】
公衆電話回線から重畳的に伝送されてきた低周波数帯域の音声信号と、高周波数帯域のデータ通信信号とを分離するスプリッタ機能を内蔵する装置において、前記スプリッタ機能の接続又は切り離しの切り換えをするためにコンピュータに、
監視部により前記装置が備える入力インターフェースから入力された前記データ通信信号を通電する通電路の通電状態を監視する機能、
前記監視部が、前記通電路の通電状態を切換制御部に通知する機能、
前記監視部から前記通電路から直流が検知された旨の通知を受けたときには、前記装置を構成する回路に前記スプリッタ機能を接続するように、前記切換制御部がリレーに命令を発する機能、
前記監視部から前記通電路から直流が検知されない旨の通知を受けたときには、前記装置を構成する回路から前記スプリッタ機能を切り離すように、前記切換制御部がリレーに命令を発する機能、
前記リレーが、前記切換制御部の命令に応じて前記スプリッタ機能の接続又は切り離しの切り換えをするように接点を切り換える機能
を実現させるためのスプリッタ切換プログラム。
【発明の詳細な説明】
【技術分野】
【０００１】
本発明は、外部のスプリッタ装置と接続されているか否かに応じて、装置に内蔵されたスプリッタ機能の接続又は切り離しの切り換えを自動で行うスプリッタ切換機構、スプリッタ内蔵装置、スプリッタ切換方法及びスプリッタ切換プログラムに関する。
【背景技術】
【０００２】
近年のインターネットの普及にともなって、種々の高速データ通信技術が提供されている。そのなかでも、ＡＤＳＬと呼ばれるものが最も身近であり、一般の家庭にも広く導入されている。ＡＤＳＬは、既存の固定電話の加入者線を利用するものであり、一般に「ｘＤＳＬ（デジタル加入者線伝送方式）」と総称されている通信技術の一つである。
【０００３】
ＡＤＳＬを始めとする各種のｘＤＳＬでは、通常の通話に用いられる数ｋＨｚ程度の比較的低い周波数帯域にある音声信号を伝送するとともに、これよりも高い数十ｋＨｚ〜数ＭＨｚ程度の周波数帯域を利用して、音声信号と共通の伝送路によってデータ通信を行っている。これにより、既存の公衆電話回線網を利用して、１〜数十Ｍｂ／ｓ程度の高速データ通信を実現している。
【０００４】
このように、ｘＤＳＬでは、低周波数帯域の音声信号と、高周波数帯域のデータ通信信号との混成信号が公衆電話回線から重畳的に伝送されてくる。しかし、これらの二種類の信号が混在したまま電話機やＦＡＸなどのアナログ通信機器や、データ通信信号を変調又は復調してｘＤＳＬ通信を可能とするモデム（ｘＤＳＬモデム）に入力されると、ノイズが発生するなどして通信に支障をきたす。このため、加入者宅では、公衆電話回線から送られてきた混成信号を音声信号とデータ通信信号とに分離して、電話機やモデムに別々に入力する必要があり、このような信号の分離に、スプリッタと呼ばれる装置が用いられている。（例えば、特許文献１又は特許文献２参照）。
【０００５】
【特許文献１】特開２００２−３４４６６１号公報
【特許文献２】特開２００３−２１９０５４号公報
【発明の開示】
【発明が解決しようとする課題】
【０００６】
ところで、音声信号とデータ通信信号とを分離するスプリッタは、通常は独立した装置として公衆電話回線に接続される。しかし、一部のモデムには、スプリッタ機能を内蔵するものもある。現状にあっては、スプリッタ機能を内蔵するタイプのモデムと、外部のスプリッタ装置を併用するタイプのモデムとが混在しており、既にスプリッタ装置が公衆電話回線に接続されている環境下で、スプリッタ内蔵モデムを使用することも多々ある。このような場合には、切換スイッチを操作して、モデムに内蔵されたスプリッタが機能しないようにする必要があるばかりでなく、外部のスプリッタ装置を併用しているか否かで、機器の接続の仕方も違ってくる。このため、ユーザーに混乱を生じさせている。
【０００７】
ここで、スプリッタ内蔵モデムの一例につき、そのブロック図を図５に示す。図示する例は、ＬＡＮ接続型のＡＤＳＬモデムであり、外部のスプリッタ装置を併用しない場合を示している。このようなスプリッタ内蔵モデム１０１にあっては、切換スイッチ１０６，１０７，１０８を手動で切り換えて、図示するような回路構成とすることにより、モデム１０１を構成する回路に内部スプリッタ１０２を接続する。このとき、モデム１０１はＩＦＣ１ａを介して公衆電話回線Ｌに接続され、ＩＦＣ２ａには何も接続されない。
【０００８】
公衆電話回線Ｌから重畳的に伝送されてきた音声信号とデータ通信信号との混成信号は、ＩＦＣ１ａから入力され、内部スプリッタ１０２により、それぞれの信号に分離される。具体的には、低周波数帯域の信号だけを通すＬＰＦ（ローパスフィルタ）１０２ａにより低周波数帯域の音声信号が取り出され、高周波数帯域の信号だけを通すＨＰＦ（ハイパスフィルタ）１０２ｂにより高周波数帯域のデータ通信信号が取り出される。そして、ＬＰＦ１０２ａにより取り出された音声信号は、ＩＦＣ３ａから出力される。また、ＨＰＦ１０２ｂにより取り出されたデータ通信信号は、ＡＤＳＬ制御部１０４及びＣＰＵ１０５によりデータ通信のための処理がなされた後にＩＦＣ４ａから出力される。
【０００９】
一方、特に図示しないが、外部のスプリッタ装置を併用する場合は、音声信号がＩＦＣ１ａに入力され、データ通信信号がＩＦＣ２ａに入力されるように、外部スプリッタとモデム１０１とを接続する。そして、図３に示す例とは反対の接点側に切り換えがなされるように、切換スイッチ１０６，１０７，１０８の切り換え操作を手動で行う。これにより、ＩＦＣ１ａとＩＦＣ３ａとが直結され、ＩＦＣ２ａとＡＤＳＬ制御部１０４とが直結される。これにより、モデム１０１を構成する回路から内部スプリッタ１０２が分離され、スプリッタとして機能しなくなる。
【００１０】
このように、公衆電話回線にモデムを接続するにあたり、ユーザーは、既にスプリッタが回線に接続されているかどうかを確認し、さらに、手元にあるモデムがスプリッタ内蔵モデムであるかどうかを確認しなければならない。そして、スプリッタ内蔵モデムであれば、外部のスプリッタ装置を併用するか否かに応じた機器の接続を行うとともに、スプリッタ機能の接続、切り離しのためのスイッチ操作を行わなければならない。
【００１１】
このような作業をユーザーに強いるのは、ユーザーフレンドリーの観点から好ましくなく、スイッチの操作ミスや、機器の接続ミスにもつながるため、改善が望まれている。また、スイッチの切り換え操作は手動で行われるため、外部からの操作が可能となる位置にスイッチを設ける必要がある。このため、スイッチを設ける位置、スイッチそのものの形状などを考慮して、装置のデザイン設計をしなければならない。さらに、スイッチを外部から操作できる位置に設けるための回路パターンの設計も必要となり、パターン設計をする上での制約が増えてしまう。このため、回路パターンとの関係でスイッチを設ける位置もおのずと制限されてしまうばかりか、ＡＤＳＬ通信や雷サージなどを考慮した理想的な回路パターンの設計ができなくなる。そして、これらを全て考慮して製品設計をまとめ上げていくには、開発時間の増大を招くという大きな問題もある。
【００１２】
本発明は、以上のような従来技術が有する問題を解決するために提案されたものであり、外部のスプリッタ装置と接続されているか否かに応じて、装置に内蔵されたスプリッタ機能の接続又は切り離しの切り換えを自動で行うスプリッタ切換機構、スプリッタ内蔵装置、スプリッタ切換方法及びスプリッタ切換プログラムの提供を目的とする。
【課題を解決するための手段】
【００１３】
上記課題を解決するためになされた、本発明に係るスプリッタ切換機構は、公衆電話回線から重畳的に伝送されてきた低周波数帯域の音声信号と、高周波数帯域のデータ通信信号とを分離するスプリッタ機能を内蔵するスプリッタ内蔵装置に設けられるスプリッタ切換機構であって、入力インターフェースから入力された前記データ通信信号を通電する通電路の通電状態を監視して、前記通電路から直流が検知されたときには、前記スプリッタ内蔵装置を構成する回路に前記スプリッタ機能を接続し、前記通電路から直流が検知されないときには、前記スプリッタ内蔵装置を構成する回路から前記スプリッタ機能を切り離す構成としてある。
【００１４】
このような構成とすることで、本発明に係るスプリッタ切換機構によれば、外部のスプリッタ装置と接続されているか否かに応じて、装置に内蔵されたスプリッタ機能の接続又は切り離しの切り換えを自動で行うようにすることができる。
【００１５】
本発明に係るスプリッタ切換機構において、スプリッタ機能の接続又は切り離しの切り換えを自動で行うには、例えば、リレーの接点を切り換えることで、前記スプリッタ機能の接続又は切り離しの切り換えを行うなどすればよい。内部スプリッタの接続又は切り離しをリレーの切り換えで行えば、回路パターンの引き回しなどにおける制約が低減され、理想的な回路パターンの設計が可能となる。また、このような本発明に係るスプリッタ切換機構は、ｘＤＳＬモデムに好適に利用できる。
【００１６】
また、本発明に係るスプリッタ内蔵装置は、公衆電話回線から重畳的に伝送されてきた低周波数帯域の音声信号と、高周波数帯域のデータ通信信号とを分離するスプリッタ機能を内蔵するスプリッタ内蔵装置であって、入力インターフェースから入力された前記データ通信信号を通電する通電路の通電状態を監視して、前記通電路から直流が検知されたときには、装置を構成する回路に前記スプリッタ機能を接続し、前記通電路から直流が検知されないときは、装置を構成する回路から前記スプリッタ機能を切り離すスプリッタ切換機構を備えた構成としてある。
【００１７】
このような構成とすることで、本発明に係るスプリッタ内蔵装置によれば、外部のスプリッタ装置と接続されているか否かに応じて、装置に内蔵されたスプリッタ機能の接続又は切り離しの切り換えを自動で行うようにすることができ、また、前記データ通信信号が、外部のスプリッタ装置により前記音声信号と分離されているか否かにかかわらず、同一の入力インターフェースから入力されるようにすることにより、データ通信信号が入力される入力インターフェースに接続された通電路を監視するだけで、スプリッタ機能の接続又は切り離しの切り換えの要否判断が可能となる。
【００１８】
さらに、本発明に係るスプリッタ内蔵装置を、前記音声信号と前記データ通信信号との混成信号、又は外部のスプリッタ装置により前記音声信号と分離された前記データ通信信号が入力される第一の入力インターフェースと、外部のスプリッタ装置により前記データ通信信号と分離された前記音声信号が入力される第二のインターフェースとを備え、前記第一の入力インターフェースから入力された前記信号を通電する第一の通電路と、前記第二のインターフェースから入力された第二の通電路の両方の通電状態を監視するように構成することで、機器の接続が正しくなされているかどうかを判断することもできる。
【００１９】
また、本発明に係るスプリッタ切換方法は、公衆電話回線から重畳的に伝送されてきた低周波数帯域の音声信号と、高周波数帯域のデータ通信信号とを分離するスプリッタ機能を内蔵する装置において、前記スプリッタ機能の接続又は切り離しの切り換えをするスプリッタ切換方法であって、前記装置が備える入力インターフェースから入力された前記データ通信信号を通電する通電路の通電状態を監視して、前記通電路から直流が検知されたときには、前記装置を構成する回路に前記スプリッタ機能を接続し、前記通電路から直流が検知されないときには、前記装置を構成する回路から前記スプリッタ機能を切り離す構成としてある。
【００２０】
このような構成とすることで、本発明に係るスプリッタ切換方法によれば、スプリッタ機能が内蔵された装置において、当該装置が外部のスプリッタ装置と接続されているか否かに応じて、装置に内蔵されたスプリッタ機能の接続又は切り離しの切換を自動で行うようにすることができる。
【００２１】
また、本発明に係るスプリッタ切換プログラムは、公衆電話回線から重畳的に伝送されてきた低周波数帯域の音声信号と、高周波数帯域のデータ通信信号とを分離するスプリッタ機能を内蔵する装置において、前記スプリッタ機能の接続又は切り離しの切り換えをするためにコンピュータに、監視部により前記装置が備える入力インターフェースから入力された前記データ通信信号を通電する通電路の通電状態を監視する機能、前記監視部が、前記通電路の通電状態を切換制御部に通知する機能、前記監視部から前記通電路から直流が検知された旨の通知を受けたときには、前記装置を構成する回路に前記スプリッタ機能を接続するように、前記切換制御部がリレーに命令を発する機能、前記監視部から前記通電路から直流が検知されない旨の通知を受けたときには、前記装置を構成する回路から前記スプリッタ機能を切り離すように、前記切換制御部がリレーに命令を発する機能、
前記リレーが、前記切換制御部の命令に応じて前記スプリッタ機能の接続又は切り離しの切り換えをするように接点を切り換える機能を実現させるためのプログラムとしてある。
【００２２】
本発明に係るスプリッタ切換プログラムは、スプリッタ機能が内蔵された装置において、スプリッタ機能の接続又は切り離しの切り換えが自動でなされるように、本発明に係るスプリッタ切換機構を機能させるためのものであり、当該装置が外部のスプリッタ装置と接続されているか否かに応じて、装置に内蔵されたスプリッタ機能の接続又は切り離しの切り換えを自動で行うように、本発明に係るスプリッタ切換機構を機能させることができる。
【発明の効果】
【００２３】
本発明によれば、外部のスプリッタ装置と接続されているか否かに応じて、装置に内蔵されたスプリッタ機能の接続又は切り離しの切り換えを自動で行うようにすることができる。
【発明を実施するための最良の形態】
【００２４】
以下、本発明の好ましい実施形態について、図面を参照しつつ説明する。図１は、本発明に係るスプリッタ内蔵装置の一実施形態における回路構成を示すブロック図であり、内部スプリッタ２を利用する場合のモデム１と公衆電話回線Ｌとの接続例を示している。また、図２は、同様のブロック図であり、内部スプリッタ２を利用しない場合のモデム１と外部スプリッタ１０との接続例を示している。本発明に係るスプリッタ切換機構は、このようなスプリッタ内蔵装置に好適に利用される。なお、図示する例は、本発明をＬＡＮ接続型のＡＤＳＬモデムに適用したものである。
【００２５】
本実施形態におけるモデム１は、内部スプリッタ２、監視部３、ＡＤＳＬ制御部４、ＣＰＵ５、リレー６，７，８及びアラーム手段１４を備える。また、内部スプリッタ２は、ＬＰＦ（ローパスフィルタ）２ａ及びＨＰＦ（ハイパスフィルタ）２ｂを備える。ＬＰＦ２ａは、高周波数帯域の信号を遮断し、高周波数帯域の信号との混成信号から低周波数帯域の信号を取り出す。ＨＰＦ２ｂは、低周波数帯域の信号を遮断し、低周波数帯域の信号との混成信号から高周波数帯域の信号を取り出す。さらに、モデム１は、入力インターフェースとしてＩＦＣ１及びＩＦＣ２を備え、出力インターフェースとしてＩＦＣ３及びＩＦＣ４を備える。
【００２６】
本実施形態におけるモデム１の基本的な回路構成は、次の通りである。ＩＦＣ１は、通電路９ａを介してリレー６の入力側に接続される。また、ＩＦＣ２は、通電路９ｂを介してリレー７の入力側に備えた接点７ｂに接続される。ＩＦＣ１が接続されるリレー６の出力側は、接点６ａ，６ｂを備えている。リレー６の接点６ａは、内部スプリッタ２に接続される。具体的には、リレー６の接点６ａに接続された通電路９ｃが途中二つに分岐して、それぞれ内部スプリッタ２を構成するＬＰＦ２ａ及びＨＰＦ２ｂの入力側に接続される。一方、リレー６の接点６ｂは、リレー８の入力側に備えた接点８ｂに接続される。
【００２７】
ＬＰＦ２ａの出力側は、リレー７の入力側に備えた接点７ａに接続され、リレー７の出力側はＩＦＣ３に接続される。ＩＦＣ３は、電話機やＦＡＸなどのアナログ通信機器が接続される音声信号出力コネクタである。ＨＰＦ２ｂの出力側は、リレー８の入力側に備えた接点８ａに接続され、リレー８の出力側はＡＤＳＬ制御部４に接続される。ＡＤＳＬ制御部４は、デジタル信号処理部（ＤＳＰ）や非同期転送モード（ＡＴＭ）インターフェースなどを備え、データ通信信号の制御を行う。
【００２８】
さらに、ＡＤＳＬ制御部４は、ＣＰＵ５に接続される。ＣＰＵ５では、通常、ＡＴＭとフレームの変換処理（ブリッジタイプの場合）や、ＩＰやＰＰＰの通信処理（ルータタイプの場合）などが行われる。また、ＣＰＵ５は、後述するように、リレー６，７，８の切換制御部としても機能する。このような機能を備えたＣＰＵ５は、ＩＦＣ４に接続される。ＩＦＣ４は、パソコンなどとＬＡＮ接続するためのＬＡＮインターフェースである。
【００２９】
また、本実施形態では、通電路９ａ，９ｂに監視部３が接続されている。監視部３は、通電路９ａの通電状態（Ｓｔ１）及び通電路９ｂの通電状態（Ｓｔ２）を監視する。具体的には、電圧計を監視部３に備えるなどして、通電路９ａ，９ｂから直流電圧が検出されるかどうかなどを監視する。このような機能を備えた監視部３はＣＰＵ５に接続され、通電路９ａ，９ｂの通電状態（Ｓｔ１，Ｓｔ２）をそれぞれＣＰＵ５に通知する。さらに、ＣＰＵ５は、リレー６，７，８に接続され、監視部３からの通知に基づいて、リレー６，７，８に切り換え命令を発信する。このとき、ＣＰＵ５は、リレー６，７，８の切換制御部として機能する。そして、リレー６，７，８は、ＣＰＵ５からの命令に基づいて接点の切り換えを行う。また、ＣＰＵ５には、アラーム手段１４が接続されている。アラーム手段１４は、後述するように、機器の接続に誤りがあった場合に、ユーザーに接続の確認を促すためのものである。
【００３０】
次に、このような回路構成のモデム１において、外部のスプリッタ装置を併用しない場合、すなわち、モデム１を構成する回路に内部スプリッタ２を接続して、スプリッタとして機能させる場合について、図１を参照しつつ説明する。内部スプリッタ２を接続するには、リレー６，７，８を、それぞれ図示するように接点６ａ，７ａ，８ａ側に切り換える。これにより、ＩＦＣ１−通電路９ａ−接点６ａ（リレー６）−ＬＰＦ２ａ−接点７ａ（リレー７）−ＩＦＣ３をつなぐ回路と、ＩＦＣ１−通電路９ａ−接点６ａ（リレー６）−ＨＰＦ２ｂ−接点８ａ（リレー８）−ＡＤＳＬ制御部４−ＣＰＵ５−ＩＦＣ４をつなぐ回路とが形成され、内部スプリッタ２（ＬＰＦ２ａ及びＨＰＦ２ｂ）がモデム１を構成する回路に接続される。
【００３１】
このようにして形成された回路において、音声信号とデータ通信信号の混成信号がＩＦＣ１に入力されると、低周波数帯域の音声信号がＬＰＦ２ａにより取り出されてＩＦＣ３から出力される。また、高周波数帯域のデータ通信信号は、ＨＰＦ２ｂにより取り出されてＡＤＳＬ制御部４に入力される。そして、ＡＤＳＬ制御部４及びＣＰＵ５で所定の処理が行われ、最終的にはＩＦＣ４から出力される。したがって、外部のスプリッタ装置を併用しない場合には、図示するように、ＩＦＣ１には公衆電話回線Ｌを接続し、ＩＦＣ２には何も接続しない。
【００３２】
次に、図２を参照して、外部のスプリッタ装置（外部スプリッタ１０）を併用する場合、すなわち、モデム１を構成する回路から内部スプリッタ２を切り離して、スプリッタとして機能させない場合について説明する。内部スプリッタ２を切り離すには、リレー６，７，８を、それぞれ図示するように接点６ｂ，７ｂ，８ｂ側に切り換える。これにより、ＩＦＣ１−通電路９ａ−接点６ｂ（リレー６）−接点８ｂ（リレー８）−ＡＤＳＬ制御部４−ＣＰＵ５−ＩＦＣ４をつなぐ回路と、ＩＦＣ２−通電路９ｂ−接点７ｂ（リレー７）−ＩＦＣ３をつなぐ回路とが形成され、内部スプリッタ２（ＬＰＦ２ａ及びＨＰＦ２ｂ）がモデム１を構成する回路から切り離される。
【００３３】
このようにして形成された回路において、ＩＦＣ１に入力された信号は、ＡＤＳＬ制御部４にそのまま入力される。また、ＩＦＣ２に入力された信号は、そのままＩＦＣ３から出力される。したがって、外部スプリッタ１０を併用する場合は、図示するように、公衆電話回線Ｌに接続した外部スプリッタ１０により分離されたデータ通信信号がＩＦＣ１に入力され、同様に分離された音声信号がＩＦＣ２に入力されるように、外部スプリッタ１０とモデム１とを接続する。
【００３４】
本実施形態において注目すべきは、外部のスプリッタ装置を併用するか否かにかかわらず、データ通信信号が同一の入力インターフェース（ＩＦＣ１）から入力されるようにした点にある。これにより、本実施形態では、ＩＦＣ１から入力された信号を通電する通電路９ａの通電状態（Ｓｔ１）を監視することで、内部スプリッタ２の接続又は切り離しの切り換えの要否を判断することができる。以下、通電路９ａの通電状態（Ｓｔ１）により、内部スプリッタ２の接続又は切り離しの切り換えの要否が判断できる原理を説明する。
【００３５】
図３に典型的なスプリッタの回路構成を示す。ＬＰＦ２ａは、回路に直列につないだコイル１１と、回路に並列につないだコンデンサ１２とから構成される。このような回路構成とすることで、コイル１１が高周波数の交流を流れ難くするとともに、高周波数の交流はコンデンサ１２側に流れていくため、高周波数の交流を遮断することができる。このため、ＬＰＦ２ａにより低周波数帯域の信号を取り出すことができ、入力された信号のうち、低周波帯域の信号が、出力１から出力される。一方、ＨＰＦ２ｂは、回路に直列につながれたコンデンサ１３により構成される。このような回路構成とすることで、コンデンサ１３が高周波数の交流だけを通電するようになる。このため、ＨＰＦ２ｂにより高周波帯域の信号を取り出すことができ、入力された信号のうち、高周波数の信号が出力２から出力される。
【００３６】
このように、ＨＰＦ２ｂは、高い周波数の交流だけを通電するというコンデンサの性質を利用して、高周波帯域の信号を取り出すものである。このため、電話回線には交換機から直流電圧が印可されているが、コンデンサは直流も遮断する。よって、ＨＰＦ２ｂを通って取り出された信号には、直流成分が含まれないことになる。換言すれば、直流成分が信号に含まれていなければ、当該信号は、既にスプリッタによって低周波数帯域の信号と分離されているとみなせる。
【００３７】
したがって、外部のスプリッタ装置を併用するか否かにかかわらず、データ通信信号が常に同じ入力インターフェースから入力されるようにしておけば、当該インターフェースから入力された信号に直流成分が含まれているかどうかで、データ通信信号が、既に外部のスプリッタ装置によって音声信号と分離されたものであるか、未だ音声通信信号と混成状態にあるかを判断することができる。すなわち、当該インターフェースから入力された信号に直流成分が含まれていなければ、入力信号は、外部のスプリッタ装置で分離されたデータ通信信号のみとみなすことができる。逆に、直流成分が含まれていれば、入力信号は、音声信号とデータ通信信号との混成信号とみなすことができる。
【００３８】
このような原理に基づき、本実施形態では、ＩＦＣ１から入力され、通電路９を通電する信号に直流成分が含まれているかどうかを監視部３で監視することにより、内部スプリッタ２の接続又は切り離しの切り換えの要否を判断することができる。さらに、以下に説明するように、本実施形態では、通電路９ａとともに、通電路９ｂの通電状態（Ｓｔ２）も監視することで、内部スプリッタ２の接続又は切り離しの切り換えの要否に加え、機器の接続が正しくなされているか否かについても判断することができる。
【００３９】
前述したように、外部のスプリッタ装置を併用しない場合、公衆電話回線ＬをＩＦＣ１に接続し、ＩＦＣ２には何も接続しないのが正しい接続状態である。したがって、接続が正しければ、通電路９ａからは直流が検知され、通電路９ｂからは信号（電流）そのものが検知されない。一方、外部のスプリッタ装置を併用する場合、分離されたデータ信号がＩＦＣ１に入力され、分離された音声信号がＩＦＣ２から入力されるように、外部スプリッタ１０とモデム１とを接続するのが正しい接続状態である。したがって、接続が正しければ、通電路９ａからは直流が検知されず、通電路９ｂからは直流が検知される。
【００４０】
ここで、機器の接続が正しい場合の通電路９ａ，９ｂの通電状態（Ｓｔ１，Ｓｔ２）の組み合わせを、下記表１に示す。
【表１】
2006060315.tif 000003
【００４１】
よって、通電路９ａ，９ｂの通電状態（Ｓｔ１，Ｓｔ２）が、このような組み合わせ以外で検知された場合には、機器の接続に誤りがあるとみなせる。例えば、通電路９ａからは通電が検知されず、直流通電路９ｂから直流が検知された場合には、公衆電話回線Ｌを誤ってＩＦＣ２に接続していることが考えられる。また、通電路９ａからは直流が検知され、通電路９ｂからは直流が検知されない（交流のみが検知される）場合には、外部スプリッタ１０とモデム１との接続を誤って逆にしていることが考えられる。
【００４２】
このように通電路９ａとともに、通電路９ｂの通電状態（Ｓｔ２）も監視することで、機器の接続が正しくなされているか否かについても判断することができる。そして、前述の組み合わせ以外で通電状態が検知されたときは、機器の接続に誤りがあると判断して、例えば、接続ミスを示すインジケーターを設けるか、ビープ音を発するなどして、接続の誤りをユーザーに知らせるアラーム手段１４を設けることにより、ユーザーに接続の確認を促すようにすることができる。
【００４３】
このようにして、内部スプリッタ２の接続又は切り離しの切り換えを行う本発明に係るスプリッタ切換機構は、プログラム（ソフトウェア）の命令により、スプリッタ切換機構を構成するコンピュータで実行される処理、手段、機能により実現される。プログラムは、コンピュータの各構成要素に指令を送り、例えば、監視部３による通電路９ａ，９ｂの通電状態（Ｓｔ１，Ｓｔ２）の監視、監視部３からＣＰＵ５への通電路９ａ，９ｂの通電状態（Ｓｔ１，Ｓｔ２）の通知、ＣＰＵ５によるリレー６，７，８の切換制御などの所定の処理や機能を行わせ、内部スプリッタ２の接続又は切り離しの切り換えが自動でなされるように、スプリッタ切換機構を機能させるためのものである。
【００４４】
このように、本発明に係るスプリッタ切換機能における各処理や手段は、プログラムとコンピュータとが協働した具体的手段によって実現されるものである。なお、プログラムの全部又は一部は、例えば、磁気ディスク、光ディスク、半導体メモリ、その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００４５】
次に、本実施形態の動作について、図４を参照しつつ説明する。なお、図４は、本発明に係るスプリッタ切換機構により、内部スプリッタ２の接続又は切り離しの切り換えを行う処理の一例を概略的に示す流れ図である。
【００４６】
ユーザーが所定の接続作業を終えた後、モデム１の電源を入れることにより、監視部３、ＣＰＵ５、リレー６，７，８及びアラーム手段１４が機能するようになる。これにより、監視部３は、通電路９ａ，９ｂの通電状態（Ｓｔ１，Ｓｔ２）を監視する（ｓ１）。そして、監視部３は、通電路９ａ，９ｂの通電状態（Ｓｔ１，Ｓｔ２）をＣＰＵ５に通知する（ｓ２）。
【００４７】
次いで、ＣＰＵ５は、監視部３から通知された通電路９ａ，９ｂの通電状態（Ｓｔ１，Ｓｔ２）により、内部スプリッタ２の接続又は切り離しの切り換え、及び機器の接続状況についての判断をする（ｓ３）。具体的には、監視部３からの通知が、通電路９ａからは直流が検知され、通電路９ｂからは通電が検知されない、というものであったときは、ＣＰＵ５は、モデム１に外部のスプリッタ装置が接続されていないとみなして、内部スプリッタ２を接続する必要があると判断する。また、監視部３からの通知が、通電路９ａからは直流が検知されず、通電路９ｂからは電流が検知された、とういうものであったときは、ＣＰＵ５は、モデム１に外部のスプリッタ装置が接続されているとみなして、内部スプリッタ２を切り離す必要があると判断する。そして、通電路９ａ，９ｂの通電状態の組み合わせがこれら以外であると、ＣＰＵ５は、機器の接続が正しくなされていないと判断する。
【００４８】
機器の接続が正しくなされていないと判断すると（ＮＧ）、ＣＰＵ５は、アラーム手段１４にアラームを発するように命令し、アラーム手段１４はＣＰＵ５からの命令を受けてアラームを発する（ｓ４）。一方、機器の接続が正しいと判断した場合には（ＯＫ）、ＣＰＵ５は、内部スプリッタ２の接続又は切り離しの切り換えの要否に応じて、リレー６，７，８に対して接点を切り換えるように命令する（ｓ５）。そして、ＣＰＵ５からの命令を受けたリレー６，７，８は、ＣＰＵ５からの命令に基づいて接点を切り換える（ｓ６）。
【００４９】
具体的には、内部スプリッタ２の接続が必要とＣＰＵ５が判断すると、ＣＰＵ５は、リレー６，７，８に対して、リレー６を接点６ａ側に、リレー７を接点７ａ側に、リレー８を接点８ａ側に、それぞれ切り換えるように命令する。リレー６，７，８は、ＣＰＵ５からの命令を受けて上記のように接点の切り換えを行う。リレー６，７，８の切り換えが行われると、前述したように、モデム１を構成する回路に内部スプリッタ２が接続される。これにより、ＩＦＣ１から入力された音声信号とデータ通信信号との混成信号は、内部スプリッタ２に送られ、ＬＰＦ２ａにより取り出された音声信号がＩＦＣ３から出力され、ＨＰＦ２ｂにより取り出されたデータ通信信号がＡＤＳＬ制御部４に入力される。
【００５０】
また、内部スプリッタ２の切り離しが必要とＣＰＵ５が判断すると、ＣＰＵ５は、リレー６，７，８に対して、リレー６を接点６ｂ側に、リレー７を接点７ｂ側に、リレー８を接点８ｂ側に、それぞれ切り換えるように命令する。リレー６，７，８は、ＣＰＵ５からの命令を受けて上記のように接点の切り換えを行う。リレー６，７，８の切り換えが行われると、前述したように、モデム１を構成する回路から内部スプリッタ２が切り離される。これにより、ＩＦＣ１に入力されたデータ通信信号は、ＡＤＳＬ制御部４にそのまま入力される。また、ＩＦＣ２に入力された音声信号は、そのままＩＦＣ３から出力される。
【００５１】
以上説明したように、本実施形態によれば、通電路９ａの通電状態（Ｓｔ１）を監視して、通電路９ａから直流が検知されたか否かによって、（１）モデム１には外部のスプリッタ装置が接続されておらず、入力されたデータ通信信号が未だ音声通信信号と混成状態にあるか、（２）モデム１が外部のスプリッタ装置に接続されており、入力されたデータ通信信号が、既に音声信号と分離されたものであるか、を判断することができる。そして、上記（１）の場合には、モデム１を構成する回路に内部スプリッタ２を接続し、上記（２）の場合には、モデム１を構成する回路から内部スプリッタ２を切り離すというように、内部スプリッタ２の接続又は切り離しの切り換えを自動で行うことができる。さらに、通電路９ａとともに、通電路９ｂの通電状態（Ｓｔ２）を監視することで、機器の接続に誤りがあるかどうかを判断することもできる。
【００５２】
これにより、ユーザーが手動でスイッチ操作をする必要がなくなるとともに、人為的なスイッチの操作ミスや、機器の接続ミスを有効に回避することができる。さらに、リレー６，７，８の切り換えで、内部スプリッタ２の接続又は切り離しの切り換えを自動で行うことにより、回路パターンの引き回しなどにおける制約が低減され、ＡＤＳＬ通信や雷サージなどを考慮した理想的な回路パターンの設計が可能となる。その上、本実施形態では、スイッチ類を装置の外側に設ける必要もなくなり、従来に比して装置のデザイン設計上の制約も格段に低減され、開発時間の短縮化を図ることもできる。
【００５３】
以上、本発明について、好ましい実施形態を示して説明したが、本発明は、前述した実施形態にのみ限定されるものではなく、本発明の範囲で種々の変更実施が可能であることは言うまでもない。例えば、前述した実施形態では、ＬＡＮ接続型のＡＤＳＬモデムに適用する例を挙げたが、ＵＳＢ接続型のＡＤＳＬモデムにも同様に適用できる。また、ＡＤＳＬのみならず、その他のｘＤＳＬにも適用できる。さらに、一般用途のモデムなどに限らず、局内側の装置などにも広く適用することもできる。
【産業上の利用可能性】
【００５４】
以上説明したように、本発明は、スプリッタ機能が内蔵された装置において、当該装置が外部のスプリッタ装置と接続されているか否かに応じて、装置に内蔵されたスプリッタ機能の接続又は切り離しの切り換えを行う必要がある場合に広く利用することができる。
【図面の簡単な説明】
【００５５】
【図１】本発明に係るスプリッタ内蔵装置の一実施形態における回路構成を示すブロック図であり、内部スプリッタを接続する場合の接続例を示す。
【図２】本発明に係るスプリッタ内蔵装置の一実施形態における回路構成を示すブロック図であり、内部スプリッタを切り離す場合の接続例を示す。
【図３】典型的なスプリッタの回路構成を示す回路図である。
【図４】本発明に係るスプリッタ切換機構により、内部スプリッタの接続又は切り離しの切り換えを行う処理の一例を概略的に示す流れ図である。
【図５】従来のスプリッタ内蔵型ＡＤＳＬモデムの一例を示すブロック図である。
【符号の説明】
【００５６】
１          モデム
２          内部スプリッタ
２ａ        ＬＰＦ（ローパスフィルタ）
２ｂ        ＨＰＦ（ハイパスフィルタ）
３          監視部
５          ＣＰＵ
６，７，８  リレー
９ａ        通電路
９ｂ        通電路
ＩＦＣ１    入力インターフェース
ＩＦＣ２    入力インターフェース
Ｌ          公衆電話回線
【図１】
2006060315.tif 000004
【図２】
2006060315.tif 000005
【図３】
2006060315.tif 000006
【図４】
2006060315.tif 000007
【図５】
2006060315.tif 000008